(57)【要約】【課題】ユーザーが症状を質問形式で入力することによって、適切な一般医薬品に的確に到達できるようにする。【解決手段】ユーザーの手許にある情報端末類によりインターネットを通じて症状を入力し、当該症状に適した一般用医薬品を検索するシステムとして、症状に関する用語と、当該用語が添付文書に記載された一般用医薬品とが関連付けられたデータベースを有する記憶部と、症状を入力し、入力された事項と一般用医薬品を照合し、その結果検索された一般用医薬品の出力を行なう制御部と、入力画面と出力画面を表示する表示部を備え、症状の詳細を質問形式で入力することにより一般用医薬品を出力することを特徴とする。【選択図】          なし【特許請求の範囲】
【請求項１】
ユーザーの手許にある情報端末類によりインターネットを通じて症状を入力し、当該症状に適した一般用医薬品を検索するシステムであって、
症状に関する用語と、当該用語が添付文書に記載された一般用医薬品とが関連付けられたデータベースを有する記憶部と、
症状を入力し、入力された事項と一般用医薬品を照合し、その結果検索された一般用医薬品の出力を行なう制御部と、
入力画面と出力画面を表示する表示部を備えており、
症状の詳細を質問形式で入力することにより一般用医薬品を出力することを特徴とする
一般用医薬品の検索システム。
【請求項２】
商品名、医薬品名、病名、成分名又は症状を正しい称呼で入力するサウンデックス機能若しくはメーカー名、医薬品分類、効能、剤形、錠数から一般用医薬品の名称を特定するＪＡＮコードを記憶させた補助データベースを備えている
請求項１記載の一般用医薬品の検索システム。
【請求項３】
記憶部は、処方された医薬の履歴を記録した手帳機能を備えている
請求項１記載の一般用医薬品の検索システム。
【請求項４】
検索された複数種類の一般用医薬品を人気、価格、発売日、主成分配合量等の順に並べ替える機能を備えている
請求項１記載の一般用医薬品の検索システム。
【発明の詳細な説明】
【技術分野】
【０００１】
本発明は、ユーザーの手許にある情報端末類によりインターネットを通じて症状を入力し、当該症状に適した一般用医薬品を検索するシステムに関するものである。
【背景技術】
【０００２】
一般用医薬品（ＯＴＣ医薬品）は、医師による処方箋を必要とせずに購入可能であり、広く用いられている。しかし、商品に添付されている添付文書（説明書）を購入者が読むとは限らず、また、読んでも完全な理解が得られるかどうか疑問である。そのため、その医薬にとって最良の使用方法がなされるように努める望ましい。
【０００３】
しかしまた、現在日本国内において入手可能な一般用医薬品は約六千品目と言われ、その中から症状に適合した医薬を選び出すことにも当然困難が伴う。このような状況において適切な医薬を検索するための方法について調査したところ、客自らが店内の在庫医薬品の中から目的の医薬品を探し出す発明である特開２００７−２５８７９号を見出した。
【０００４】
上記発明は入力操作から症状を指定すると、薬検索処理部及び当該薬と相性の良い薬を検索し、表示することができる。しかしながら、客自ら症状を正確に把握することには困難が伴い、また、そのようにして探し出された医薬品が当該客にとって適切であるのか、保証の限りではない。よって、より確実かつ安全な一般用医薬品の検索システムが必要であり、むしろその重要性は、医師が処方する医薬の場合より高いとも考えられる。
【０００５】
【特許文献１】特開２００７−２５８７９号
【発明の開示】
【発明が解決しようとする課題】
【０００６】
本発明は前記の実情に鑑みてなされたもので、その課題は、ユーザーが症状を質問形式で入力することによって、適切な一般医薬品に的確に到達できるようにすることである。また、本発明の他の課題は、入力データの真偽があいまいな場合でも、病気などの正確な名称、症状、医薬品名等を正しく入力できるようにすることである。
【課題を解決するための手段】
【０００７】
前記の課題を解決するため、本発明は、ユーザーの手許にある情報端末類によりインターネットを通じて症状を入力し、当該症状に適した一般用医薬品を検索するシステムとして、症状に関する用語と、当該用語が添付文書に記載された一般用医薬品とが関連付けられたデータベースを有する記憶部と、症状を入力し、入力された事項と一般用医薬品を照合し、その結果検索された一般用医薬品の出力を行なう制御部と、入力画面と出力画面を表示する表示部を備えており、症状の詳細を質問形式で入力することにより一般用医薬品を出力するという手段を講じたものである。
【０００８】
本発明の検索システムは飽くまで一般用医薬品を対象とし、症状の詳細を質問形式で入力することにより、目的の一般医薬品に到達できるように工夫したものである。そのために本発明のシステムでは、主としてスマートフォン等の携帯情報端末及び汎用のパソコン（パーソナルコンピューター、以下、単にＰＣという。）等の情報端末の類を用い、インターネットを通じて実行するものとする。すなわち、携帯情報端末の画面やＰＣのキーボードを入力の操作部とし、また、携帯情報端末の画面やＰＣのディスプレイを出力の表示画面とし、内蔵のＣＰＵが記憶及び表示機能を備えた制御部となる。
【０００９】
ユーザーは、手許にある情報端末類によりインターネットを通じて本発明の検索システムのサイトにアクセスし、アプリケーションソフトウェアをダウンロードする。上記ソフトウェアが起動したならば必要な個人情報を入力の上、ログイン、新規登録を行なうことで、システムを利用することができるようになる。本発明のシステム構成によれば、症状の詳細を質問形式で入力することにより一般用医薬品に到達することができる。症状に関する質問事項には、症状の起こる位置、種類、強さから成る症状に関するデータ等を要素として含み、これらの要素を複数項目からＹＥＳ、ＮＯ又は択一的に選択することを複数回繰り返して、正確な症状を入力できるようになる。
【００１０】
一般用医薬品データは一般用医薬品の名称、効能、併用禁忌等を含む。商品名、医薬品名、病名、成分名又は症状を正しい称呼で入力するサウンデックス（ｓｏｕｎｄｅｘ）機能若しくはメーカー名、医薬品分類、効能、剤形、錠数から一般用医薬品の名称を特定するＪＡＮコードを記憶させた補助データベースを備えていることが望ましい。これは、記憶があいまいでも正確な入力を容易にするという意図である。
【００１１】
本発明の装置として、記憶部が処方された医薬の履歴を記録した手帳機能を備えている構成は好ましいものである。例えば、処方された医薬品に近い成分を持つ一般用医薬品を探し当てたり、併用禁忌の組み合わせを検討したりするときに、手帳機能に記載されている医薬品の組み合わせを参考にすることができる。
【００１２】
また、検索された複数種類の一般用医薬品を、人気、価格、発売日、主成分配合量等の順に並べ替える機能を備えていると、選択に好都合でもある。
【発明の効果】
【００１３】
本発明は以上のように、ユーザーが手許にある情報端末類によりインターネットを通じて実行し、症状を質問形式で複数回入力を繰り返すことによって、適切な一般医薬品に的確に到達することができるという効果を奏する。また、本発明によれば、入力データの真偽が多少あいまいな場合でも、病気などの正確な名称、症状、医薬品名等を正しく入力できるので、適切な一般医薬品を選択することができる。
【発明を実施するための最良の形態】
【００１４】
以下、実施形態により本発明をより詳細に説明する。本発明に係る一般用医薬品の検索システムは、ユーザーの手許にある情報端末類によりインターネットを通じて本発明の検索システムのサイトにアクセスし、アプリケーションソフトウェアをダウンロードする。ユーザーはスマートフォン等の携帯情報端末のほか、任意のＰＣによりインターネットに接続して本発明のシステムにアクセスすることができる。任意のとは、手許にあり、インターネットに接続できるものであれば、情報端末の種類を問わない趣旨である。そして、ユーザーが症状を入力し、当該症状に適した一般用医薬品を検索するに当たり、症状の詳細を質問形式で入力することを特徴とする。
【００１５】
上記一般用医薬品の全品＝６０１０品とし、そこから検索する場合について説明する。質問形式の入力は、スマートフォン等の携帯情報端末では画面上の操作で行ない、ＰＣの場合にはアイコン操作（例えばタップ）又はキーボード操作等による。
第１絞り込み
・５９９７品：本発明システムにログイン時の情報（性別、年齢、アレルギーの有無）で絞る（実施形態では、六十歳女性、アレルギーなし。）。
第２絞り込み
・４７４０品：標榜効果（一般医薬品の効果の内、添付文書に記載されている主要効果）による絞り込み。
第３絞り込み
・３７８品：ユーザーの症状の入力（症状がある部位を選択）による絞り込み。
１．頭・精神神経（本実施形態で選択）
２．目
３．鼻
４．口
５．耳
６．歯
７．のど・呼吸器
８．肩・首・背
１０．腰
１１．検査薬
１３．胸
１４．胃腸
１６．泌尿器
１８．おしり
１９．手足
２０．からだ全体
２１．皮膚・肌
２２．女性器
２３．男性器
２４．筋・骨・関節
第４絞り込み
・４７品：ユーザーの症状の入力（現在の症状を選択）による絞り込み。
１．頭痛・頭重
２．慢性頭痛
３．不眠・寝つきが悪い（本実施形態で選択）
４．発毛・脱毛
５．眠気
６．めまい
７．イライラ感・興奮感・緊張感
８．気分のふさぎ・精神不安・意欲減退
９．更年期・月経時や産後等の精神不安
１０．夜泣き・かんのむし
１１．言葉のもつれ・記憶力減退
１２．脳卒中・脳溢血
１３．ノイローゼ
第５絞り込み
・１６品：剤形（剤形アイコンを選択）による絞り込み。
１．内用丸
２．内用錠（本実施形態で選択）
３．内用顆粒
４．内用細粒
５．内用散剤
６．内用フィルム錠
７．内用軟カプセル
８．内用液
９．内用カプセル
第６絞り込み
・１６品：商品の特徴で絞り込み（本実施形態では、特に選択せず）。
表１
2015046131.tif 000002
第７絞り込み
・４品：催眠鎮静薬（ジフェンヒドラミン塩酸塩）。
この後は、ユーザーが選択して終了する。
【００１６】
上記質問形式の入力は、第１及び第２絞り込みについては主として携帯情報端末の画面上におけるアイコン操作（例えばタップ）で行い、また、ＰＣについてはキーボード操作等により行なうものとする。また、第３絞り込み以下はアイコン操作（例えばタップ）により行なうことができる。
入力におけるｓｏｕｎｄｅｘ機能は、入力内容と音価を比較することができるもので、以下の項目から誤入力を訂正することが可能である。
・商品名、病名、成分名又は症状。
また、ＪＡＮコードについては、以下の項目から一般用医薬品の名称を特定することができ、入力内容と上記名称との比較により誤入力を訂正することができる。
・医薬品分類、効能、剤形、錠数
また、スマートフォン等を使用して、商品バーコードを読み込み、一般用医薬品の検索をすることも可能である。
【００１７】
この実施形態に加えて、以下の機能を追加することができる。
１．販売店比較機能
入力部にて目的の商品を選択した後、商品と関連付けられた商品詳細ページへ移動する。商品詳細ページでは価格の安い順に商品を並べてあり、在庫の有無を確認することができる。また、位置情報の入力により現在地（検索地）からの距離が近い順に並び変えられ、スマートフォンの場合にはＧＰＳ機能を利用して現在地からの距離が近い販売店順に表示が可能になる。
２．飲み合わせチェック機能
複数医薬品の相互効果、過剰摂取、アレルギー等の自動チェックにより、併用注意、併用禁忌等を表示する。
３．おくすり手帳機能
記憶部は、処方された医薬の履歴を記録した手帳機能を備えることができる。一般には処方された医薬品を記入するが、ＯＴＣ医薬品との飲み合わせもチェックする。ユーザー自身のみならず、家族、要介護者等の管理も可能である。
４．服用時期お知らせ機能
服用時間を表示ないし報知するアラーム機能を追加することができる。服用忘れを防止するとともに、前項で管理している者に対しても通知可能である。
５．医療費管理機能
病院や薬局で支払った金額を管理し、計算し、印刷することができる。年末の医療費控除に役立ち、加えて交通費等を入力しても良い。
６．チャット・メール等による相談機能
本発明システムによるガイドや医薬品添付文書でも不安の残る場合、相談が可能。常駐の薬剤師が対応し、相談が可能である（但し、医療領域の質問には対応できない。）。
【００１８】
以上のように、本発明に係るシステムは、ユーザーの手許にある情報端末類により利用することができるものである。従って、例えば、スマートフォンを用いてインターネットを通じてアクセスし、アプリケーションソフトウェアをダウンロードし、症状を入力することで、何時どこででも、より適切な一般用医薬品を探し当てることが可能になる。